(57)【要約】  【課題】簡単かつ安価な構成で、キャリッジ上の記録手段と記録媒体との距離を変える隙間調整による影響を無くし、回復動作の際のキャリッジの姿勢を安定化させ得る記録装置を提供する。  【解決手段】キャリッジ６の移動を案内する第１のガイド部２１１及び第２のガイド部２１２と、第１のガイド部と摺動可能に当接する摺動部３３３を有しキャリッジ６の姿勢を変えることで記録手段３と記録媒体との距離を変化させる調整部材３３と、備え、非記録領域でキャリッジ６と摺動可能に当接してキャリッジ６の移動を案内する第３のガイド部２１３を設け、キャリッジ６と第３のガイド部２１３との当接によってキャッピング時のキャップ押圧力に抗してキャリッジ６を支持する。    【選択図】                図３０
2005329565.tif 000002
【特許請求の範囲】
【請求項１】
記録手段を搭載して移動するキャリッジと、前記キャリッジの移動を案内する第１のガイド部及び第２のガイド部と、前記第１のガイド部と摺動可能に当接する摺動部を有し前記キャリッジの姿勢を変えることで記録手段と記録媒体との距離を変化させる調整部材と、非記録領域に配され前記記録手段をキャッピングするキャップと、を備える記録装置において、
前記非記録領域で前記キャリッジと摺動可能に当接して該キャリッジの移動を案内する第３のガイド部を設け、前記キャリッジと前記第３のガイド部との当接によって前記キャッピング時のキャップ押圧力に抗して前記キャリッジを支持することを特徴とする記録装置。
【請求項２】
前記非記録領域では、前記第１のガイド部が前記調整部材から離間することを特徴とする請求項１に記載の記録装置。
【請求項３】
前記非記録領域において前記第３のガイド部と前記キャリッジとの当接により規定される該キャリッジの姿勢は、前記記録領域における前記記録手段と前記記録媒体との距離が最小になるときの該キャリッジの姿勢と実質的に同じであることを特徴とする請求項１又は２に記載の記録装置。
【請求項４】
前記第３のガイド部は、前記調整部材により規定される前記キャリッジの姿勢に関わらず、前記非記録領域における該キャリッジの姿勢をほぼ一定に規定するカム形状を有することを特徴とする請求項１〜３のいずれか１項に記載の記録装置。
【請求項５】
前記キャリッジは前記第２のガイド部との当接部を中心に回動可能であることを特徴とする請求項１〜４のいずれか１項に記載の記録装置。
【請求項６】
前記調整部材の摺動部は、前記キャリッジ及び前記記録手段の自重によって前記第１のガイド部に当接することを特徴とする請求項１〜５のいずれか１項に記載の記録装置。
【請求項７】
前記第１のガイド部は板状のレールであることを特徴とする請求項１〜６のいずれか１項に記載の記録装置。
【請求項８】
前記第１のガイド部は装置本体のシャーシと一体に形成されていることを特徴とする請求項１〜７のいずれか１項に記載の記録装置。
【請求項９】
前記第３のガイド部は装置本体のシャーシと一体に形成されていることを特徴とする請求項１〜８のいずれか１項に記載の記録装置。
【請求項１０】
前記キャップはキャップホルダに保持され、前記キャップホルダは装置本体に設けられたカム面に沿って移動可能なキャップスライダに保持され、前記キャップスライダは前記キャリッジの移動により前記記録手段に対するキャッピング動作を行うことを特徴とする請求項１〜９のいずれか１項に記載の記録装置。
【請求項１１】
前記キャリッジが前記非記録領域へ進入し前記キャップにより前記記録手段をキャッピングした後、キャッピング状態のまま前記キャリッジをさらに進入方向へ移動させることで前記キャップの一端部を開放させることを特徴とする請求項１〜１０のいずれか１項に記載の記録装置。
【発明の詳細な説明】
【技術分野】
【０００１】
本発明は、記録手段を保持したキャリッジを記録媒体の搬送方向と交差する方向に移動させながら記録を行うシリアルタイプの記録装置に関する。
【背景技術】
【０００２】
プリンタ、複写機、ファクシミリ等の機能を有する記録装置、あるいはコンピュータやワードプロセッサ等を含む複合機器やワークステーションの出力機器として用いられる記録装置は、画像情報に基づいて用紙やプラスチック薄板等の記録媒体に画像を記録していくように構成されている。前記記録装置は、記録方式により、インクジェット式、ワイヤドット式、サーマル式等に分けることができる。記録媒体の搬送方向と交差する方向に主走査するシリアルタイプの記録装置においては、記録媒体に沿って移動するキャリッジ上に搭載した記録手段としての記録ヘッドによって画像を記録し、１行分の記録を終了した後に所定量の紙送り（副走査）を行い、その後に再び停止した記録媒体に対して次の行の画像を記録するという動作を繰り返すことにより、記録媒体全体への記録が行われる。
【０００３】
従来のシリアルタイプの記録装置としては、記録手段を着脱自在に搭載するキャリッジを、互いに平行に設けられたガイド軸及びガイドレールに摺動自在に取り付けたものがある。キャリッジは、キャリッジモータの出力軸に固着されたプーリと回転自在に軸支されたアイドルプーリとに掛け回されたタイミングベルトの一部位に結合されており、キャリッジモータの正転及び逆転によってキャリッジを往復移動させる。キャリッジには、記録手段と記録媒体とのギャップ（隙間）を調整するための隙間調整機構が設けられている。この隙間調整機構として、キャリッジの後部をガイド軸により案内支持するとともに、回転中心からの距離が変化するカム面を有する調整レバーをキャリッジに回転可能に軸支し、圧接バネにより調整レバーのカム面を装置本体側のガイドレールに付勢する（当接させる）構成がある。この構成によれば、調整レバーの回転操作によりキャリッジをガイド軸を中心に回転させることにより、記録手段と記録媒体との隙間を調整することができる。
【０００４】
さらに、キャリッジの往復移動範囲内の一端部において、キャリッジに搭載された記録手段の性能を維持回復するための回復機構が設けられている。この回復機構は，記録手段内の増粘インクを除去したり、記録しないときに記録手段を保護するためのキャップを有しており、圧接レバーがガイドレールを押圧する力を利用して記録手段とキャップを当接させている。また、このとき調整レバーの摺動面がガイドレールと当接しないようにガイドレールの一部を切り欠くことで、回復動作時に調整レバーのポジションに影響を及ぼさないように構成されている。
【特許文献１】特開平１０−３０９８４２号公報
【特許文献２】特開２０００−３３１６７３号公報
【発明の開示】
【発明が解決しようとする課題】
【０００５】
しかしながら、上記のような記録装置においては、キャッピング時に圧接レバーによる当接圧をキャリッジの一部である摺動部で制限するような構成となっており、そのため、キャップを記録手段に当接させてキャッピングする際に十分な密着力が得られないという不都合がある。また、非記録領域に配設された回復ユニットで記録手段の性能を維持回復するための回復動作を行う際にキャリッジの姿勢が安定しない状態となり、回復動作における動作不良が生じることもある。さらには、非使用状態で放置された際の記録手段の保護が不十分となり、インクジェット記録装置の場合には、記録手段の吐出口内のインク溶剤が蒸発してインクの増粘や固着が生じることもある。
本発明はこのような課題に鑑みてなされたものであり、本発明の目的は、簡単かつ安価な構成で、記録手段と記録媒体との隙間調整による影響を無くし、回復動作の際のキャリッジの姿勢を安定化させ得る記録装置を提供することである。
【課題を解決するための手段】
【０００６】
本発明は、上記目的を達成するため、記録手段を搭載して移動するキャリッジと、前記キャリッジの移動を案内する第１のガイド部及び第２のガイド部と、前記第１のガイド部と摺動可能に当接する摺動部を有し前記キャリッジの姿勢を変えることで記録手段と記録媒体との距離を変化させる調整部材と、非記録領域に配され前記記録手段をキャッピングするキャップと、を備える記録装置において、前記非記録領域で前記キャリッジと摺動可能に当接して該キャリッジの移動を案内する第３のガイド部を設け、前記キャリッジと前記第３のガイド部との当接によって前記キャッピング時のキャップ押圧力に抗して前記キャリッジを支持することを特徴とする。
【発明の効果】
【０００７】
上記構成の本発明によれば、簡単かつ安価な構成で、記録手段と記録媒体との隙間調整による影響を無くし、回復動作の際のキャリッジの姿勢を安定化させ得る記録装置が提供される。
【発明を実施するための最良の形態】
【０００８】
以下、図面を参照して本発明の実施形態を具体的に説明する。なお、各図面を通して同一符号は同一又は対応部分を示すものである。図１は本発明による記録装置の第１の実施形態を示す模式的斜視図である。なお、図１は記録装置が記録手段から記録媒体へインクを吐出して記録を行うインクジェット記録装置である場合を例示するものである。図１において、記録装置は、用紙やプラスチックシートなどの記録媒体を装置本体内へ供給するための給紙部２０１と、装置本体内を通して記録媒体を搬送するための搬送部２０２と、画像情報に基づいて記録媒体に画像（文字や記号等も含む）を記録していく記録手段３及び該記録手段を搭載したキャリッジ６を含むキャリッジユニット（記録機構部）２０３と、キャリッジユニット２０３によって形成される画像品位を維持するために記録手段（記録ヘッド）のインク吐出性能を維持回復するために回復ユニット２０４と、を備えている。
【０００９】
給紙部２０１に積載された記録媒体は、給紙モータにより駆動される給紙ローラによって１枚ずつ分離されて送り出され、搬送部２０２へ給送される。搬送部２０２へ送り込まれた記録媒体は、搬送モータによって駆動される搬送ローラ２２１及び搬送ローラ２２１に向けて押圧されたピンチローラ２２２による摩擦搬送力によって記録領域を通して搬送される。記録領域には、キャリッジ６に搭載された記録手段３と所定の隙間をおいて対向するようにプラテン２２５が配設されている。このプラテン２２５の上面に沿って案内支持されながら紙送りされる記録媒体に対し、記録手段３によって画像を記録していく。記録された記録媒体は、搬送ローラ２２１と連動して駆動される排紙ローラ２２３及び該排紙ローラと協働する拍車による搬送力によって装置本体外へ排出される。
【００１０】
キャリッジユニット２０３は、装置本体内部で主走査方向に往復移動可能に案内支持されたキャリッジ６並びに該キャリッジに搭載された記録手段としての記録ヘッド３などによって構成されている。キャリッジ６は装置本体を構成するシャーシ２１０に互いに平行に設けられたガイド部（ガイドレール）に沿って往復移動可能に案内支持されている。キャリッジ６に対してキャリッジモータの駆動力がキャリッジベルト２２４を介して伝達され、キャリッジ６は該キャリッジモータの駆動力によって前記ガイドレールに沿って往復移動させられる。このキャリッジ６の移動（主走査）に同期して行われる記録手段３の記録動作と記録媒体の所定ピッチごとの搬送（副走査）とを繰り返すことにより記録媒体全体の記録が行われる。
【００１１】
回復ユニット２０４は、記録手段（インクジェット記録手段）３の目詰まり等を解消することで記録品位を正常な状態に維持回復するためのものであり、記録手段３の吐出口を覆うためのキャッピング手段、キャッピングされた吐出口からインクを吸引する吸引ポンプ、並びに吐出口面を拭き取り清掃するためのワイピング手段などから構成されている。記録手段３の図示下面には複数の吐出口を配列して形成された吐出口列が設けられている。図２は記録手段３を底面側から見た模式的斜視図であり、図３は記録手段３を前方から見た模式的斜視図である。本実施形態における記録手段３の吐出口面（フェイス面）８１には、３種類のインクを用いるカラー（例えばシアン、マゼンタ、イエロー）の吐出口列３ｃとブラックの吐出口列３ｄが横並びに配列されている。また、本実施形態では、記録手段３として、インク吐出部（記録ヘッド部）とインクタンクと組み付けるか、あるいは一体化して構成された交換可能なカートリッジタイプのものが使用されている。
【００１２】
本実施形態における記録手段３は、熱エネルギーを利用してインクを吐出するインクジェット記録手段であって、熱エネルギーを発生するための電気熱変換体を備えたものである。該記録手段３は、電気熱変換体により印加される熱エネルギーによってインク内に膜沸騰を生じさせ、その時に生じる気泡の成長、収縮による圧力変化を利用して吐出口よりインクを吐出させ、記録を行うものである。電気熱変換体は、複数の吐出口のそれぞれに対応して配設されており、記録信号に応じて対応する電気熱変換体にパルス電圧を印加することによって対応する吐出口からインクを吐出するためのものである。この記録手段３の吐出口面８１と記録媒体の表面との隙間（隙間）は、例えば、約０．２〜約２．０ミリ程度の所望の値に設定される。また、記録手段３は、吐出口列３ｃ、３ｄがキャリッジ６の移動方向と交差する方向となるような姿勢でキャリッジ６に搭載される。
【００１３】
図４は回復ユニット２０４のキャップ及びキャップホルダの上方斜視図であり、図５は図４のキャップ及びキャップホルダの下方斜視図である。図６は本発明によるインクジェット記録装置の第１の実施形態における回復ユニット２０４のキャップスライダ上の構成の上方斜視図であり、図７は図６のキャップスライダの構成をロックレバーを省いた状態で示す下方斜視図である。図８は本発明によるインクジェット記録装置の第１の実施形態における回復ユニット２０４の全体構成のキャッピング位置における状態を示す上方斜視図であり、図９は図８の回復ユニット２０４のキャップ開放位置における状態を示す上方斜視図であり、図１０は図８の回復ユニット２０４の記録装置本体側のベース部の構成を示す上方斜視図である。
【００１４】
図４〜図１０において、キャップ１はキャップホルダ２に対して４箇所の嵌合部１ａと各キャップ室内の吸引口１ｂ、１ｃのシーリング部とによって位置決め状態で固定されている。キャップホルダ２は、キャップスライダ７に対して、４箇所のフック部２ｂ（爪部）により上下方向に抜け止めされた状態で取り付けられている。キャップホルダ２とキャップスライダ７との間には該キャップホルダを上向きに付勢するキャップばね４が装着されている。キャップホルダ２のキャリッジ移動方向の両端部に設けられた軸部２ｃがキャップスライダ７の溝部に嵌合しており、キャップホルダ２はキャップスライダ７に対して、軸部２ｃを中心に前後方向（キャリッジ６の移動方向と直角を成す方向）に回動可能に装着されている。キャップ１及びキャップホルダ２の吸引口１ｂ、１ｃの位置は、図４に示すように、キャップ１に対して記録手段３のカラー吐出口列３ｃの位置が片側（図示の例では記録媒体搬送方向上流側）へずれて配置されている場合は、該カラー吐出口列３ｃに対向する範囲内に選定されている。
【００１５】
上記の構成によってキャップホルダ２をキャップスライダ７に対して所定の位置へ装着すると、キャップホルダ２は軸部２ｃを中心として前後方向（キャリッジ移動方向と直交する方向）に回転可能になるとともに、キャッピング位置（記録手段３がキャップ１と対向する位置）においてキャップスライダが上昇すると、キャップ１のキャップ面（シール面）と記録手段３の吐出口面８１とが互いに平行に当接するように自動的に位置補正（姿勢補正）することができる。つまり、吐出口面８１に対してキャップ面全体が自動的に均一に密着することで確実な密封機能が得られるように構成されている。キャップホルダ２には、２つの軸部２ｃを結ぶ中心線と直角方向の位置に、キャリッジ移動方向に形成された斜面と水平面の２つの面を有するキャップ開放カム面（カム部）２ｄが設けられている。
【００１６】
キャップホルダ２の吸引口１ｂ、１ｃに対応する位置にはチューブ５、５が接続されており、これらのチューブは負圧発生手段としてのポンプ機構部（不図示）に接続されている。従って、キャップ１で記録手段３をキャッピングした状態で前記ポンプ機構部を作動させることにより、チューブ５、５を通してキャップ１内を負圧状態にし、それによって記録手段３の吐出口からインクを吸引できる。本実施形態におけるキャップ１は、記録手段３のカラー吐出口列３ｃとブラック吐出口列３ｄをそれぞれ個別に吸引できるように、内部を２区画に仕切った分割構造になっているが、記録手段３の吐出口列の配置構成や吸引方法によっては、仕切り無しの構造のものや、３区画以上に分割したものなど、種々のものを使用することができる。
【００１７】
キャップホルダ２を保持するキャップスライダ７は、記録装置本体のベース部１３と後述のスライダばね１５によって接続（連結）されている。キャップスライダ７の側面の４箇所には、棒状を成して突出する突出部（スライダ軸部）７ｂが設けられており、これらの突出部７ｂはベース部１３上に設けられたスライダ制御用のカム面（カム部）１３ｂ、１３ｃに当接している。つまり、キャップスライダ７は、後述するスライダばね１５によって各突出部（スライダ軸部）７ｂをベース１３上のカム面１３ｂ、１３ｃに当接させた状態で、カム面１３ｂ、１３ｃに沿って上下位置を制御されながらキャリッジ移動方向に移動可能に装着されている。なお、本願では、各種の部材の動きや位置を制御するために設けられるカム面と該カム面に当接する突出部などの当接部（当接部材、相手カム面など）とから成るカム機構に関しては、該カム機構を構成する両方もしくは任意の一方の部材（部位）を、適宜「カム部」又は「カム面」と呼ぶことにする。
【００１８】
４箇所の突出部（スライダ軸部）７ｂのうちの一部の突出部（図示の例では記録媒体搬送方向上流側の２箇所の突出部）の先端部には、ベース部１３のカム面１３ｃを形成するリブ部を挟み込むことによりキャップスライダ７の位置決めを行うための凹部（溝部）が形成されている。キャップスライダ７には、回復ユニット２０４へ進入してきたキャリッジ６又は記録手段３が当接する突き当て部７ａが設けられている。つまり、キャリッジ６が回復ユニット２０４へ移動してきてキャリッジ６の側面が突き当て部７ａに当接すると、キャリッジ６が回復ユニット２０４へ進入するのに追従してキャップスライダ７も同様に移動することになる。装置本体側のベース部１３には、キャップ１の一端を開放するための固定カム１３ａがキャップホルダ２の方向へ水平に伸びた形で設けられている。このカム部１３ａは、キャップホルダ２のキャップ開放カム面２ｄに当接することにより、キャッピング状態にあるキャップ１の一端部（本実施形態では、記録媒体搬送方向の上流側の端部）を開放するためのものである。
【００１９】
キャップスライダ７の端部には、記録手段３の吐出口面８１に残留したインク等の異物を拭き取り除去するためのワイパー８、９が取り付けられている。これらのワイパー８、９は、スペーサ１０を介してキャップスライダ７に取り付けられ、板金のばね性を持たせたストッパ１１によりキャップスライダ７の所定位置に保持されている。更に、キャップスライダ７には、記録手段３又はキャリッジ６に形成された嵌合穴（又は溝）３ａと一定の隙間Ｌ１（図１２）を保って嵌合する嵌合ピン７ｃが設けられている。
【００２０】
図１１はキャリッジ６及び記録手段３がキャップスライダ７と当接する前の状態を示す模式的正面図であり、図１２はキャリッジ６及び記録手段３が回復ユニット２０４に進入しキャップスライダ７を追従移動させることでキャップ１を吐出口面８１に密着させたキャッピング状態を示す模式的正面図であり、図１３は図１２のキャッピング状態のままキャリッジ６及び記録手段３が更に進入方向に移動してキャップ１の一端を開放したキャップ一端開放時の状態を示す模式的正面図である。図１４は回復ユニット２０４のキャップスライダ７の位置を制御するためのベース部１３のカム面１３ｂ（１３ｃ）及びその作用を説明するための模式図である。図１５は図１３のキャップ一端開放時の状態を側面から見た模式的側面図である。図１６はキャップスライダ７上でキャリッジ６の移動方向にスライド可能に設けられたロックレバー１２の作動状態を示す模式的正面図である。
【００２１】
キャリッジ６及び記録手段３が未だ回復ユニット２０４に進入しない位置（図１１）にあるときには、キャリッジ６及び記録手段３とワイパー８、９との間には上下方向に所定のクリアランスをもって離間しており、当接することはない。キャリッジ６が回復ユニット２０４へ進入し、突出部７ｂとカム面１３ｂとのカム作用によってキャップスライダ７を上昇させることにより、記録手段３が図１２に示すようなキャッピング状態（キャップ１で吐出口面８１を覆った状態）になる。このようなキャッピング状態にあるとき、ワイパー９はキャリッジ６に対して一定のクリアランスＬ２を有して配置され、キャッピングされた状態ではキャリッジ６とワイパー８、９が接触することはない。
【００２２】
図１２のキャッピング状態のとき、キャップスライダ７の嵌合ピン７ｃは記録手段３の嵌合穴３ａと嵌合状態になっているが、同図中に隙間Ｌ１でも示すように、嵌合穴３ａとは通常四方向に間隔を有する状態で嵌合している。そして、通常のキャッピング状態では、嵌合ピン７ｃは記録手段３とは接触していないが、仮に嵌合ピン７ｃと記録手段３がキャリッジ６の移動方向にずれた状態になった際に両者が接触した場合でも、キャリッジ６とワイパー８、９とは接触しないように構成されている。つまり、嵌合状態における嵌合ピン７ｃと嵌合穴３ａとの隙間（間隔）Ｌ１は、キャリッジ６とワイパー９との間の隙間Ｌ２よりも小さい間隔に設定されている。なお、本実施形態では、上述のようにキャップスライダ７に設けられた嵌合ピン７ｃは記録手段３の嵌合穴３ａと嵌合するように構成したが、これは、キャップスライダ７の嵌合ピン７ｃと所定の間隔を保って嵌合する嵌合穴をキャリッジ６に設けるように構成しても良い。
【００２３】
キャップスライダ７には、図６及び図１６に示すように、４箇所の突出部（スライダ軸）７ｂの１つに対してスライド可能に組み込まれたロックレバー１２が装着されている。このロックレバー１２の端部１２ａは、図１６に示すように、ロックレバーばね１４によって記録装置のベース部１３に連結（接続）されている。前記ベース部１３には、図１６に示すように、ロックレバー１２用のカム部１３ｊが設けられている。このカム部１３ｊはロックレバー１２のカム面１２ｂと当接（係合）可能なものである。こうして、ロックレバー１２は、キャップスライダ７と装置本体のベース部１３との間に挟み込まれる状態で保持されている。
【００２４】
図１７は図１中のキャリッジユニット２０３を記録手段３を取り外した状態で示す模式的斜視図である。図１７において、キャリッジユニット２０３は、記録手段３が位置決め搭載されるキャリッジ６と、記録媒体の厚みに応じて記録手段３の吐出口面と記録媒体の表面との距離（隙間）を変化させるための調整部材（調整レバー）３３と、キャリッジ６の内部に取り付けられるカバー部材（キャリッジカバー）３０と、記録手段３をキャリッジ６に固定するためのセットレバー３２と、を具備している。キャリッジ６の上部には、記録手段３の上部のリブ３ｅ（図３）に掛止して記録手段３をキャリッジ６上に位置決め固定するための板ばね３１が取り付けられている。記録手段３をキャリッジ６に搭載する際は、セットレバー３２の回動操作によって板ばね３１を退避方向へ弾性変形させ、記録手段３をキャリッジ６に引き込んだ後、板ばね３１を解放して記録手段３のリブ３ｅに掛止させることにより、該板バネ３１の弾性力を利用して記録手段３をキャリッジ６に固定する。
【００２５】
図１８はキャリッジユニット２０３のキャリッジ６を前方から見た模式的斜視図であり、図１９は図１８のキャリッジ６を背後から見た模式的斜視図であり、図２０は図１７中のキャリッジカバー３０の模式的斜視図である。図２１は図１７中の調整レバー３３を斜め上から見た模式的斜視図であり、図２２は図２１の調整レバー３３を斜め下方から見た模式的斜視図であり、図２３は図１７中の調整レバー３３の模式的側面図である。
【００２６】
図１８において、キャリッジ６に形成された面６１は記録手段３の上部に設けられた記録媒体搬送方向（前後方向）の位置決め面（突き当て面）と圧接する面であり、キャリッジ６に形成された面６２は記録手段３の下部に設けられた鉛直方向（上下方向）の位置決め面と圧接する面である。キャリッジ６に形成された面６３は記録手段３の記録媒体搬送方向（前後方向）の位置決め面と圧接する面であり、キャリッジ６に形成された面６４は記録手段３の主走査方向（左右方向）の位置決め面と圧接する面である。図１８及び図１９において、キャリッジ６の左右に形成された穴６５はセットレバー３２の左右の回動中心となるボス部３２ａ（図２５）を回動可能に軸支するための軸受穴であり、キャリッジ６の左右に形成された穴６６はキャリッジカバー３０の左右のボス部３０ｅ（図２０）と嵌合して該キャリッジカバー３０をキャリッジ６に固定するためのカバー取り付け穴である。
【００２７】
キャリッジ６の上部には調整レバー３３を水平方向にスライド可能に装着するためのカム部６７が設けられている。調整レバー３３は、カム部６７に係合させるとともにキャリッジカバー３０をキャリッジ６に被せる（キャリッジ６に取り付ける）ことにより、摺動可能に保持される。つまり、調整レバー３３は両矢印Ｘ（図１７）方向にスライド可能に装着されている。
【００２８】
図２４は調整部材３３とカバー部材３０の開口部３０１の係止部との位置関係を示す模式的部分断面図である。図２５はキャリッジ６とシャーシ２１０の第１、第２及び第３のガイド部２１１、２１２、２１３とカバー部材３０と調整部材３３との組み付け状態を示す縦断面側面図であり、図２６は図２５中のＳ部分を拡大して示す縦断面側面図である。図２７は調整部材３３の摺動ボス（位置決めボス）３３４、３３５とキャリッジ６のカム部６７のカム面６７１との位置関係を示す模式的平面断面図である。
【００２９】
図２８は第１の実施形態の非記録領域における第１のガイドレール２１１の近傍の構成を記録装置の前面側から見た模式的斜視図であり、図２９は図２８に示す部分を記録装置の背面側から見た模式的斜視図である。図３０は第１の実施形態における隙間ポジションＡ（薄紙ポジション）でのキャッピング状態における調整レバー３３の摺動部３３３及びキャリッジ６上部の摺動部（摺動ボス）６８とシャーシ２１０との位置関係を示す模式的平面断面図であり、図３１は第１の実施形態における隙間ポジションＢ（厚紙ポジション）でのキャッピング状態における調整レバー３３の摺動部３３３及びキャリッジ６上部の摺動部（摺動ボス）６８とシャーシ２１０との位置関係を示す模式的平面断面図である。
【００３０】
図１７〜図３１において、キャリッジ６の上部の一部には、摺動部（摺動ボス）６８が設けられており、シャーシ２１０には第３のガイド部（第３のガイドレール）２１３が一体に設けられており、摺動部６８はキャリッジ６の主走査方向移動範囲の非記録領域において第３のガイド部２１３と摺動可能に構成されている。キャリッジカバー３０には、調整レバー３３の操作レバー部３３１をキャリッジ６の内部へ突出させるための開口部３０１が形成されている。この開口部３０１の一部（本実施形態では左右２箇所）には、係止部３０１ａ、３０１ｂが形成されている。
【００３１】
また、調整レバー３３の、前記開口部３０１との嵌合部にはリブ状の固定部（ストッパ部）３３２が形成されている。そして、このストッパ部３３２が係止部３０１ａ、３０１ｂに入り込むように構成されている。調整レバー３３は、操作者が隙間調整するための操作部（操作レバー部）３３１と、前記係止部３０１ａ、３０１ｂと係合可能なストッパ部３３２と、シャーシ２１０の第１のガイドレール（第１のガイド部）２１１の垂直面に摺動可能に当接する摺動部３３３とを備えている。
【００３２】
調整レバー３３は、さらに、キャリッジ６のカム部６７のカム面６７１と摺動可能に当接するように左右２箇所に設けられた位置決めボス３３４、３３５と、該位置決めボス３３４、３３５のそれぞれとカム部６７を挟んで対向する位置に設けられたガイドボス３３６、３３７と、キャリッジ６の上部に設けられた略水平方向の位置決め面６９と摺動可能に当接する略水平方向の位置決め面３３８と、を備えている。調整レバー３３のストッパ部３３２は、図２４に示すように、キャリッジカバー３０の開口部３０１の係止部３０１ａ又は３０１ｂに入り込むことで、調整レバー３３の矢印Ｘ方向の移動を防止するとともに隙間調整位置を規制している。また、キャリッジ６及び記録手段３の自重により、ストッパ部（固定部）３３２がキャリッジカバー（カバー部材）３０の係止部３０１ａ、３０１ｂに対し食い込む方向に押圧されるように構成されており、これによって、調整レバー３３が矢印Ｘ方向に勝手に移動することを確実に防止している。
【００３３】
本実施形態では、図２４において、調整レバー３３を図示左側へスライドさせてストッパ部３３２を図示左側の係止部３０１ａに係合させた位置３３Ａが、普通紙などの薄紙の隙間ポジションＰＡのときに調整レバー３３がセットされる位置である。一方、調整レバー３３を図示右側へスライドさせてストッパ部３３２を図示右側の係止部３０１ｂに係合させた位置３３Ｂが、封筒などの厚紙の隙間ポジションＰＢのときに調整レバー３３がセットされる位置である。また、調整レバー３３が隙間ポジションＰＡと隙間ポジションＰＢとの間に位置するときは、キャリッジカバー３３のストッパ部３３２がキャリッジカバー３０の開口部３０１のガイド部３０１ｃにより押し下げられるように構成されている。
【００３４】
調整レバー３３を薄紙に記録するための隙間ポジションＰＡから厚紙に記録するための隙間ポジションＰＢへ動かすとき、該調整レバー３３のストッパ部３３２は、キャリッジカバー３０の係止部３０１ａからガイド部３０１ｃへ向かう斜面に沿って図２４中の矢印Ｖで示す方向に移動する。そして、ストッパ部３３２は、ガイド部３０１ｃに沿って摺動するときは、図示のように係合部３０１ａ、３０１ｂに係合しているときよりも若干低い位置に押し付けられている。すなわち、調整レバー３３がキャリッジ６に対して固定あるいは解除される際には、該調整レバー３３のストッパ部３３２が矢印Ｖで示すようにキャリッジ６の移動方向を略法線とする略円弧状軌跡を描いて揺動する。
【００３５】
その際、ストッパ部３３２は、キャリッジカバー３０のガイド部３０１ｃに沿って移動し、キャリッジカバー３０の係止部３０１ｂまで移動したところで、キャリッジ６及び記録手段３の自重によりキャリッジカバー３０の係止部３０１ｂに食い込むため、調整レバー３３は矢印Ｘ方向（図１７、図２７）の所定位置（隙間ポジションＰＢ）に固定される。調整レバー３３を厚紙に記録するための隙間ポジションＰＢから薄紙に記録するための隙間ポジションＰＡへ動かすときも同様であり、調整レバー３３は同様にして隙間ポジションＰＡに固定される。調整レバー３３の位置決めボス３３４、３３５は、キャリッジ６の上部のカム部６７のカム面６７１に摺動可能に当接（係合）し、前述のようにキャリッジ６に対し摺動可能（スライド可能）に保持される。
【００３６】
調整レバー３３には、位置決めボス３３４、３３５に対してカム部６７を挟んで対向する位置にガイドボス３３６、３３７は設けられている。図２５及び図２６に示すように、調整レバー３３の水平方向の位置決め面３３８はキャリッジ６及び記録手段３の自重によりキャリッジ６の水平方向の位置決め面６９と当接し、同時に、調整レバー３３の摺動部３３３はシャーシ２１０と一体的に形成された第１のガイドレール２１１と当接している。これらによって、キャリッジ６及び記録手段３の姿勢が正しく規制され、調整レバー３３をキャリッジ６に対して円滑に摺動させることができる。
【００３７】
調整レバー３３のガイドボス３３６、３３７は、位置決めボス３３４、３３５に対してカム部６７を挟んで対向する位置に設けられている。図２５及び図２６に示すように、調整レバー３３の水平方向の位置決め面３３８はキャリッジ６及び記録手段３の自重によりキャリッジ６の水平方向の位置決め面６９と当接し、同時に、調整レバー３３の摺動部３３３はシャーシ２１０と一体的に形成された第１のガイドレール２１１と当接している。これらによって、キャリッジ６及び記録手段３の姿勢が正しく規制されるとともに、調整レバー３３をキャリッジ６に対して円滑に摺動させることができる。
【００３８】
図２７にはキャリッジ６のカム部６７と摺動する調整部材（調整レバー）３３の摺動ボス（位置決めボス）３３４、３３５の位置関係が示されている。図２７において、調整レバー３３を矢印Ｘ方向にスライドさせると、該調整レバー３３の位置決めボス３３４、３３５はカム部６７のカム面６７１に従って移動する。これによって、第１のガイド部（第１のガイドレール）２１１と摺動する摺動部３３３は、キャリッジ６に対して図中の矢印Ｙ方向へ相対的に変位する。そのため、調整レバー３３をスライドさせることにより、第２のガイド部（第２のガイドレール）２１２との当接点６０１を中心としてキャリッジ６が回動し、その結果として、キャリッジ６に搭載された記録手段３の吐出口面８１と記録媒体の表面との間隔（隙間）を変化させることができる。
【００３９】
図２７において、カム部６７のカム面６７１の部位６７１ａは前記隙間ポジションＰＡ（普通紙などの薄紙ポジション）に対応しており、カム面６７１の部位６７１ｂは前記隙間ポジションＰＢ（封筒などの厚紙ポジション）に対応している。また、３３４Ａ、３３５Ａは調整レバー３３の位置決めボス３３４、３３５が前記カム面の部位６７１ａに当接する位置を示し、３３４Ｂ、３３５Ｂは位置決めボス３３４、３３５が前記部位６７１ｂに当接する位置を示す。同様に、３３６Ａ、３３７Ａはガイドボス３３６、３３７が前記カム面６７１の部位６７１ａに対向する位置を示し、３３６Ｂ、３３７Ｂはガイドボス３３６、３３７が前記部位６７１ｂに対向する位置を示す。そして、これらの位置では、調整部材３３の固定部（ストッパ部）３３２がキャリッジ６側の係止部３０１ａ及び係止部３０１ｂに入り込むようになっている。
【００４０】
図１に示すように、キャリッジ６の移動範囲内であって記録領域を外れた非記録領域においては、装置本体のベース部１３に回復ユニット２０４が配設されている。非記録領域におけるシャーシ２１０の第１のガイド部２１１の近傍を装置本体の前面側及び背面側から見た図２８及び図２９、並びに、薄紙ポジションＡ及び厚紙ポジションＢでのキャッピング状態における調整レバー３３の摺動部３３３とキャリッジ６の摺動部６８及びシャーシ２１０の第１のガイドレール２１１との位置関係を示す図３０及び図３１において、第１のガイドレール２１１の非記録領域の部分には、キャリッジ６が進入してきたときに調整レバー３３の摺動部３３３から離間する方向に避けるような逃げ部２１１ａが形成されている。
【００４１】
前記第１のガイドレール２１１の逃げ部２１１ａと、調整レバー３３の摺動部３３３を挟んで対向する位置には、シャーシ２１０と一体に第３のガイドレール（第３のガイド部）２１３が設けられている。第３のガイドレール２１３は、キャリッジ６の上部の摺動ボス６８と摺動可能に当接している。シャーシ２１０と一体に形成された第１のガイドレール２１１の逃げ部２１１ａと第３のガイドレール２１３は、調整レバー３３の摺動部３３３とキャリッジ６上部の摺動ボス６８とが同時に逃げ部２１１ａあるいは第３のガイドレール２１３と当接しないように、その間に所定のクリアランスを設けて配置されている。
【００４２】
この逃げ部２１１ａと第３のガイドレール２１３との間のクリアランスは、調整レバー３３が普通紙などの薄紙ポジション（隙間ポジションＡ）あるいは封筒などの厚紙ポジション（隙間ポジションＢ）のどちらのポジションにある場合でも、調整レバー３３の摺動部３３３とキャリッジ６の上部の摺動ボス６８とが、第１のガイドレール２１１の逃げ部２１１ａおよび第３のガイドレール２１３の両方に、同時に当接しないように構成されている。
【００４３】
次に、キャリッジ６が非記録領域に移動し、キャリッジ６および記録手段３が回復ユニット２０４に進入した際の、キャッピング動作及びキャリッジ６の姿勢について説明する。キャリッジ６が非記録領域に移動すると、前述のように回復ユニット２０４にキャリッジ６が進入するため、キャリッジ６がキャップスライダ７の突き当て部７ａに当接する。さらにキャリッジ６が移動を続けると、キャリッジ６の動作に連動してキャップスライダ７も図１４中の矢印Ｕ方向へ移動する。このとき、キャップスライダ７はキャップスライダ制御用カム面１３ｂ、１３ｃに沿って徐々に記録手段３へ向かって図１４中の矢印Ｗ方向へも移動する。キャップスライダ７にはキャップホルダ２を介してキャップ１が設けられているため、記録手段３の吐出口面８１に対しキャップ１が徐々に近づいていく。
【００４４】
キャリッジ６の移動が進み、キャップ１が記録手段３の吐出口面８１に当接する前の段階で、調整レバー３３の摺動部３３３は第１のガイドレール２１１の逃げ部２１１ａに進入し、キャリッジ６はやや隙間が狭くなる方向（装置の手前におじぎをする方向）へ第２のガイドレール２１２との当接点を中心として回動する。また、キャリッジ６の移動に対して、ほぼ同時、あるいは直後に、第３のガイドレール２１３とキャリッジ６上部の摺動ボス６８は互いに摺動可能となっている。さらに、キャリッジ６の移動が進むと、キャップ１は記録手段３の吐出口面８１に当接する（図１２）。キャップ１が記録手段３の吐出口面８１に当接すると、キャップ１を搭載したキャップホルダ２はキャップばね４（図５）から反力を受けるため、キャップ１は記録手段３を押し上げる方向に圧接する。そのため、キャリッジ６及び記録手段３はキャップ１から圧接を受け、キャリッジ６は隙間が広くなる方向へ第２のガイドレール２１２との搭載点を中心として回動する。
【００４５】
このとき、キャリッジ６の上部の摺動ボス６８は第３のガイドレール２１３に当接し、それによって、キャリッジ６及び記録手段３は、キャップ１からの圧接力に抗して、第２のガイドレール２１２との当接点周りの回転方向（図２５中の矢印Ｒ方向）に支持され、姿勢を決められている。このため、キャップ１は、記録手段３の吐出口面８１に対し、安定したキャッピングを行うことができる。記録手段３にキャップ１から圧接力を受けながらキャリッジ６が移動するとき、キャリッジ６上部の摺動ボス６８は第３のガイドレール２１３と摺動し、キャリッジ６は一定の姿勢を保ったまま移動することになる。そして、キャリッジ６はやがてキャッピング位置に到達する。このときのキャリッジ６の姿勢は、記録範囲において調整レバー３３が隙間ポジションＡ（普通紙などの薄紙ポジション）にあるときの姿勢とほぼ同じであり、記録手段３の吐出口面８１はプラテン２２５の上面あるいは該プラテン２２５の上面に沿って搬送される記録媒体とほぼ平行である。
【００４６】
図３０は、薄紙用の隙間ポジションＡでのキャッピング状態における調整レバー３３の摺動部３３３及びキャリッジ６上部の摺動部６８とシャーシ２１０との関係を示す図であり、図３１は、厚紙用の隙間ポジションＢでのキャッピング状態における調整レバー３３の摺動部３３３及びキャリッジ６上部の摺動部６８とシャーシ２１０との関係を示す図であるが、これらの図に示すように、キャッピング位置でのキャリッジ６の姿勢は調整レバー３３の調整位置（隙間ポジション）に関わらず一定となっている。すなわち、本実施形態においては、キャリッジ６の移動方向で回復ユニット２０４が配設される非記録領域に対応する位置に前記第３のガイド部２１３が配置されており、この第３のガイド部２１３は、調整部材３３により確定（規定）されるキャリッジ６の姿勢に関わらず、該非記録領域におけるキャリッジ６の姿勢を一定に保持するためのカム形状２１３ａを備えている。
【００４７】
キャリッジ６がキャッピング位置よりも図１４中の矢印Ｕ方向（図３０及び図３１における両矢印Ｘの右向き方向）に移動すると、キャップホルダ２は図１５に示すようにキャップ１の搬送方向下流側の一端を開放するように軸部２ｃを中心に回動する。そして、キャリッジ６が図１３に示すキャップ一端開放位置まで移動すると、キャップホルダ２のキャップ開放カム面２ｄの水平部が当接するようになっている。このとき、キャリッジ６上部の摺動部６８は第３のガイド部（第３のガイドレール）２１３と摺動し、キャリッジ６の姿勢は一定となっている。そのため、キャップ１の一端における該キャップ１と記録手段３の吐出口面８１との隙間（開放量）を一定に保つことができる。
【００４８】
このときのキャリッジ６の姿勢は、前述のキャッピング位置と同様、調整レバー３３の隙間ポジション（調整位置）に関わりなく一定となっている。すなわち、非記録領域におけるキャリッジ６の一定の姿勢は、調整部材３３の摺動部３３３が第１のガイド部２１１（その逃げ部２１１ａ）から離間するとともに、キャリッジ６の上部に設けられた摺動部６８が第３のガイド部２１３のカム形状２１３ａと摺動可能に当接することにより規定（確定）されている。この際のキャリッジ６の姿勢は、記録領域における記録手段３と記録媒体との距離（隙間）が最小となるときの該キャリッジ６の姿勢とほぼ同一になるように構成されている。
【図面の簡単な説明】
【００４９】
【図１】本発明による記録装置の第１の実施形態を示す模式的斜視図である。
【図２】図１中の記録手段を底面側から見た模式的斜視図である。
【図３】図１中の記録手段を前方から見た模式的斜視図である。
【図４】図１中の回復ユニットのキャップ及びキャップホルダを上側から見た模式的斜視図である。
【図５】図４のキャップ及びキャップホルダを下側から見た模式的斜視図である。
【図６】本発明による記録装置の第１の実施形態における回復ユニットのキャップスライダ上の構成を示す模式的斜視図である。
【図７】図６のキャップスライダからロックレバーを省いて下側から見た模式的斜視図である。
【図８】本発明による記録装置の第１の実施形態における回復ユニットのキャッピング位置における状態を示す模式的斜視図である。
【図９】図８の回復ユニットのキャップ開放位置における状態を示す模式的斜視図である。
【図１０】図８の回復ユニットの記録装置本体側のベース部の構成を示す模式的斜視図である。
【図１１】本発明による記録装置の第１の実施形態においてキャリッジ及び記録手段がキャップスライダと当接する前の状態を示す模式的正面図である。
【図１２】図１１の状態からキャリッジ及び記録手段が回復ユニットに進入しキャップスライダを追従移動させることでキャップを吐出口面に密着させたキャッピング状態を示す模式的正面図である。
【図１３】図１２のキャッピング状態のままキャリッジ及び記録手段が更に進入方向に移動してキャップの一端を開放したキャップ一端開放時の状態を示す模式的正面図である。
【図１４】本発明による記録装置の第１の実施形態における回復ユニットのキャップスライダの位置を制御するためのベース部のカム面及びその作用を説明するための模式図である。
【図１５】図１３のキャップ一端開放時の状態を側面から見た模式的側面図である。
【図１６】本発明による記録装置の第１の実施形態において回復ユニットのキャップスライダに連結されたロックレバーの作動状態を示す模式的正面図である。
【図１７】図１中のキャリッジユニットを記録手段を取り外した状態で示す模式的斜視図である。
【図１８】図１中のキャリッジユニットのキャリッジを前方から見た模式的斜視図である。
【図１９】図１８のキャリッジを背後から見た模式的斜視図である。
【図２０】図１７中のカバー部材（キャリッジカバー）の模式的斜視図である。
【図２１】図１７中の調整部材（調整レバー）を斜め上から見た模式的斜視図である。
【図２２】図２１の調整部材を斜め下方から見た模式的斜視図である。
【図２３】図２１の調整部材の模式的側面図である。
【図２４】本発明による記録装置の第１の実施形態における調整部材とカバー部材の開口部の係止部との位置関係を示す模式的部分断面図である。
【図２５】本発明による記録装置の第１の実施形態におけるキャリッジとシャーシのガイド部とカバー部材と調整部材との組み付け状態を示す縦断面側面図である。
【図２６】図２５中のＳ部分を拡大して示す縦断面側面図である。
【図２７】本発明による記録装置の第１の実施形態における調整部材の位置決めボスとキャリッジのカム部のカム面との位置関係を示す模式的平面断面図である。
【図２８】本発明による記録装置の第１の実施形態の非記録領域における第１のガイド部の近傍の構成を記録装置の前面側から見た模式的斜視図である。
【図２９】図２８に示す部分を記録装置の背面側から見た模式的斜視図である。
【図３０】本発明による記録装置の第１の実施形態における薄紙用の隙間ポジションでの調整部材、キャリッジ及びシャーシの位置関係を示す模式的部分平面断面図である。
【図３１】本発明による記録装置の第１の実施形態における厚紙用の隙間ポジションでの調整部材、キャリッジ及びシャーシの位置関係を示す模式的部分平面断面図である。
【符号の説明】
【００５０】
１          キャップ
１ａ        嵌合部
１ｂ、１ｃ  吸引口
２          キャップホルダ
２ｂ        フック部（爪部）
２ｃ        軸部
２ｄ        キャップ開放カム面
３          記録手段（記録ヘッド）
３ａ        嵌合穴（溝）
３ｃ        カラー吐出口列
３ｄ        ブラック吐出口列
３ｅ        リブ
４          キャップばね
５          吸引チューブ
６          キャリッジ
７          キャップスライダ
７ａ        突き当て部
７ｂ        突出部（スライダ軸部）
７ｃ        嵌合ピン
８、９      ワイパー（ワイパーブレード）
１０        スペーサ
１１        ストッパ
１２        ロックレバー
１２ａ      端部
１２ｂ      カム面
１２ｃ      先端部
１３        ベース部（装置本体一部）
１３ａ      固定カム部（カム部）
１３ｂ      カム面
１３ｃ      カム面
１３ｄ      ロックレバー用のカム部
１４        ロックレバーばね
１５        キャップスライダばね
２０１      給紙部
２０２      搬送部
２０３      キャリッジユニット
２０４      回復ユニット
２１０      シャーシ（装置本体）
２１１      第１のガイド部（第１のガイドレール）
２１２      第２のガイド部（第２のガイドレール）
２１３      第３のガイド部（第３のガイドレール）
２１３ａ    カム形状
２２１      搬送ローラ
２２２      ピンチローラ
２２３      排紙ローラ
２２４      キャリッジベルト
２２５      プラテン
３０        キャリッジカバー
３０１      開口部（キャリッジカバー）
３０１ａ、３０１ｂ    係止部
３０１ｃ    ガイド部
３１        板ばね
３２        セットレバー
３３        調整部材（調整レバー）
３３１      操作部（操作レバー部）
３３２      固定部（ストッパ部）
３３３      摺動部
３３４、３３５    位置決めボス
３３６、３３７    ガイドボス
３３８      位置決め面
６          キャリッジ
６０１      当接点（回動中心）
６１、６２、６３、６４    面（キャリッジ）
６５        セットレバー軸支用の軸受穴
６６        カバー取り付け用の穴
６７        カム部（キャリッジ）
６８        摺動部（摺動ボス）
６７１      カム面
６９        位置決め面
８１        吐出口面
Ｇ          隙間（ギャップ）
Ｒ          キャリッジの回動方向
Ｘ          調整部材のスライド方向（キャリッジ移動方向）
【図１】
2005329565.tif 000003
【図２】
2005329565.tif 000004
【図３】
2005329565.tif 000005
【図４】
2005329565.tif 000006
【図５】
2005329565.tif 000007
【図６】
2005329565.tif 000008
【図７】
2005329565.tif 000009
【図８】
2005329565.tif 000010
【図９】
2005329565.tif 000011
【図１０】
2005329565.tif 000012
【図１１】
2005329565.tif 000013
【図１２】
2005329565.tif 000014
【図１３】
2005329565.tif 000015
【図１４】
2005329565.tif 000016
【図１５】
2005329565.tif 000017
【図１６】
2005329565.tif 000018
【図１７】
2005329565.tif 000019
【図１８】
2005329565.tif 000020
【図１９】
2005329565.tif 000021
【図２０】
2005329565.tif 000022
【図２１】
2005329565.tif 000023
【図２２】
2005329565.tif 000024
【図２３】
2005329565.tif 000025
【図２４】
2005329565.tif 000026
【図２５】
2005329565.tif 000027
【図２６】
2005329565.tif 000028
【図２７】
2005329565.tif 000029
【図２８】
2005329565.tif 000030
【図２９】
2005329565.tif 000031
【図３０】
2005329565.tif 000032
【図３１】
2005329565.tif 000033